(57)【要約】      （修正有）【課題】閲覧者をより引き付けて情報を伝える情報出力装置、情報出力方法、及びプログラムを提供する。【解決手段】日本語の呼掛けを含む広告音声Ａｓと、呼掛けに対応する日本語ｊｐと発音記号ｐｒ、訳語である各外国語ｅｎ、ｃｈ、ｔｈのテキストを含む呼掛け広告画像Ａｇとを編集した呼掛け動画コンテンツを再生する。言語メニュー１５ａ（中文）が選択された場合、簡単な商品説明として難易度の低い日本語と選択された外国語の広告音声Ａｓ（ｃｈ）と共に、同広告音声Ａｓに対応する日本語ｊｐとその発音記号ｐｒ、前記選択された外国語のテキストを含む広告画像Ａｇ（ｃｈ）を編集した基本説明動画コンテンツを再生する。日本語が選択された場合、選択された日本語の閲覧者に対して詳細な商品説明を外国人としては難易度の高い日本語だけで行なう詳細説明動画コンテンツを再生する。【選択図】図５
2017054327.tif 000002
【特許請求の範囲】
【請求項１】
ユーザの使用言語を判断する言語判断手段と、
前記言語判断手段により判断されたユーザの使用言語に応じて、言語の難易度が異なる情報を決定し出力する情報出力手段と、
を備えたことを特徴とする情報出力装置。
【請求項２】
前記情報出力手段は、前記言語判断手段により判断されたユーザの使用言語が自国語であるか外国語であるかに応じて、言語の難易度が異なる自国語を含む情報を選択的に出力する、
ことを特徴とする請求項１に記載の情報出力装置。
【請求項３】
前記情報出力手段は、
自国語により構成された自国語情報と、当該自国語情報を構成する自国語の難易度よりも低い難易度の自国語とその訳語である外国語とにより構成された外国語対応情報とを、前記言語判断手段により判断されたユーザの使用言語に応じて選択的に取得する情報取得手段を有し、
前記情報取得手段により取得された自国語情報または外国語対応情報を出力する、
ことを特徴とする請求項１または請求項２に記載の情報出力装置。
【請求項４】
自国語と当該自国語の訳語である複数の外国語とを対応付けた呼掛け情報を出力する呼掛け情報出力手段を備え、
前記言語判断手段は、前記呼掛け情報出力手段により呼掛け情報の出力が開始された後に、ユーザの使用言語を判断する、
ことを特徴とする請求項１ないし請求項３の何れかに記載の情報出力装置。
【請求項５】
前記情報出力手段は、自国語と外国語を音声として出力する音声出力手段と、画像として出力する画像出力手段とを有する、
ことを特徴とする請求項１ないし請求項４の何れかに記載の情報出力装置。
【請求項６】
前記情報取得手段は、自国語により構成された自国語情報と、当該自国語情報を構成する自国語の難易度よりも低い難易度の自国語とその訳語である外国語とにより構成された外国語対応情報とを記憶している情報記憶手段を有し、当該情報記憶手段に記憶されている自国語情報と外国語対応情報とを、前記言語判断手段により判断されたユーザの使用言語に応じて選択的に読み出して取得する、
ことを特徴とする請求項３に記載の情報出力装置。
【請求項７】
前記呼掛け情報出力手段は、自国語と当該自国語の訳語である複数の外国語とを対応付けた呼掛け情報を記憶している呼掛け情報記憶手段を有し、当該呼掛け情報記憶手段に記憶されている呼掛け情報を読み出して出力する、
ことを特徴とする請求項４に記載の情報出力装置。
【請求項８】
ユーザの使用言語を判断し、
前記判断されたユーザの使用言語が自国語であるか外国語であるかに応じて、言語の難易度が異なる自国語を含む情報を選択的に出力する、
ことを特徴とする情報出力方法。
【請求項９】
コンピュータを、
ユーザの使用言語を判断する言語判断手段と、
前記言語判断手段により判断されたユーザの使用言語が自国語であるか外国語であるかに応じて、言語の難易度が異なる自国語を含む情報を選択的に出力する情報出力手段、
として機能させるためのコンピュータ読み込み可能なプログラム。
【発明の詳細な説明】
【技術分野】
【０００１】
本発明は、情報出力装置、情報出力方法、及びその制御プログラムに関する。
【背景技術】
【０００２】
従来、閲覧者に対し、印象を高めることができる映像出力装置搭載機器等を提供するべく、画像コンテンツの輪郭の形状に形成されたスクリーンに投影するようにした技術が各種提案されている（例えば、特許文献１参照。）。
【先行技術文献】
【特許文献】
【０００３】
【特許文献１】特開２０１１−１５０２２１号公報
【発明の概要】
【発明が解決しようとする課題】
【０００４】
前記従来の映像出力装置搭載機器等では、様々な閲覧者に対して、各種商品の紹介等を行なう画像コンテンツを一方的に出力するものであった。
【０００５】
様々な閲覧者をもっと引き付けるための工夫が望まれる。
【０００６】
本発明は、このような課題に鑑みなされたもので、閲覧者をより引き付けて情報を伝えることが可能になる情報出力装置、情報出力方法、及びその制御プログラムを提供することを目的とする。
【課題を解決するための手段】
【０００７】
本発明に係る情報出力装置は、ユーザの使用言語を判断する言語判断手段と、前記言語判断手段により判断されたユーザの使用言語に応じて、言語の難易度が異なる情報を決定し出力する情報出力手段と、を備えたことを特徴としている。
【発明の効果】
【０００８】
本発明によれば、閲覧者をより引き付けて情報を伝えることが可能になる。
【図面の簡単な説明】
【０００９】
【図１】本発明の情報出力装置の実施形態に係るサイネージ装置１０の外観構成を示す図。
【図２】前記サイネージ装置１０の電子回路の機能構成を示すブロック図。
【図３】前記サイネージ装置１０で実行される動画コンテンツの再生に係る動作を示すフローチャート。
【図４】前記サイネージ装置１０の動画コンテンツの再生動作に従った広告画像Ａｇと広告音声Ａｓの出力状態（その１）を示す図。
【図５】前記サイネージ装置１０の動画コンテンツの再生動作に従った広告画像Ａｇと広告音声Ａｓの出力状態（その２）を示す図。
【図６】前記サイネージ装置１０の動画コンテンツの再生動作に従った広告画像Ａｇと広告音声Ａｓの出力状態（その３）を示す図。
【発明を実施するための形態】
【００１０】
以下図面により本発明の実施の形態について説明する。
【００１１】
図１は、本発明の情報出力装置の実施形態に係るサイネージ装置１０の外観構成を示す図である。
【００１２】
このサイネージ装置１０は、プロジェクタ技術を用いた電子マネキンであり、例えば商業施設の店頭に設置される。
【００１３】
このサイネージ装置１０は、装置本体に内蔵されたリアプロジェクション方式の投影部１１により背面側から画像が投影されて表示されるスクリーンパネル１２を備え、当該スクリーンパネル１２には、商品説明員等の広告モデルＭを含む広告画像Ａｇが投影されて表示される。
【００１４】
また、このサイネージ装置１０は、スピーカ１３を備え、当該スピーカ１３からは、前記広告画像Ａｇに応じた広告音声Ａｓが出力される。
【００１５】
前記広告画像Ａｇと広告音声Ａｓは、１つの動画コンテンツに編集されて再生される。
【００１６】
また、装置本体の前面上部には、メニュー選択ボタン１４ａ〜１４ｄが、前記スクリーンパネル１２の下部に沿って投影されて表示される広告選択メニュー１５ａ〜１５ｄの位置に対応して設けられる。この広告選択メニュー１５ａ〜１５ｄは前記広告画像Ａｇの一部に含ませて表示される。
【００１７】
また、装置本体の前面下部には、人感センサ１６が設けられる。
【００１８】
この人感センサ１６は、装置本体の所定の範囲内に接近した人物を検出するもので、この人感センサ１６により人物の接近が検出されることに応じて、前記動画コンテンツの再生が開始される。
【００１９】
そして、前記装置本体の前面パネルには、液晶表示部１７も設けられる。
【００２０】
図２は、前記サイネージ装置１０の電子回路の機能構成を示すブロック図である。
【００２１】
コンテンツメモリ２０には前記動画コンテンツのデータが予め複数種類生成されて記憶される。このコンテンツメモリ２０に記憶される複数種類の動画コンテンツのデータは、後述するＣＰＵ２６により選択的に読み出され、システムバスＢＳを介して投影画像駆動部２１に送られる。
【００２２】
この投影画像駆動部２１は、前記システムバスＢＳを介して送られてきた広告画像Ａｇのデータに応じて、所定のフォーマットに従ったフレームレート、例えば１２０［フレーム／秒］と色成分の分割数、及び表示階調数を乗算した、より高速な時分割駆動により、表示素子であるマイクロミラー素子２２を表示駆動する。
【００２３】
このマイクロミラー素子２２は、アレイ状に配列された複数個、例えばＷＸＧＡ（横１２８０画素×縦７６８画素）分の微小ミラーの各傾斜角度を個々に高速でオン／オフ動作して表示動作することで、その反射光により光像を形成する。
【００２４】
一方で、光源部２３から時分割でＲ，Ｇ，Ｂの原色光が循環的に出射される。この光源部２３は、半導体発光素子であるＬＥＤを有し、Ｒ，Ｇ，Ｂの原色光を時分割で繰り返し出射する。この光源部２３が有するＬＥＤは、広義でのＬＥＤとして、ＬＤ（半導体レーザ）や有機ＥＬ素子を含むものとしても良い。
【００２５】
また、前記ＬＥＤから出射された光を蛍光体に照射することで励起される、元の光とは波長が異なる原色光を用いるものとしても良い。この光源部２３からの原色光が、ミラー２４で反射して前記マイクロミラー素子２２に照射される。
【００２６】
そして、前記マイクロミラー素子２２での反射光で光像が形成され、当該形成された光像が前記投影部１１を介して前記スクリーンパネル１２の背面側から投射される。
【００２７】
前記投影部１１は、そのレンズ光学系中に合焦位置を可変するフォーカスレンズ、及び投影画角を可変するズームレンズを含む。これらフォーカスレンズ及びズームレンズは、レンズモータ（Ｍ）２５の回動駆動によりレンズ光軸に沿ってそれぞれ移動することで、当該投影部１１の出射する光像の合焦位置、投影画角がそれぞれ変化する。
【００２８】
前記各回路の動作すべてを前記ＣＰＵ２６が制御する。このＣＰＵ２６は、メインメモリ２７及びプログラムメモリ２８と直接接続される。前記メインメモリ２７は、例えばＳＲＡＭで構成され、前記ＣＰＵ２６のワークメモリとして機能する。前記プログラムメモリ２８は、電気的書き換え可能な不揮発性メモリ、例えばフラッシュＲＯＭで構成され、前記ＣＰＵ２６が実行する動作プログラムや各種定型データ等を記憶する。
【００２９】
前記ＣＰＵ２６は、前記プログラムメモリ２８に記憶されている動作プログラムや定型データ等を読出し、前記メインメモリ２７に展開して記憶させた上で当該プログラムを実行することにより、本サイネージ装置１０を統括して制御する。
【００３０】
前記ＣＰＵ２６は、操作部２９からの操作信号に応じて各種投影動作を実行する。この操作部２９は、サイネージ装置１０の本体に備える、電源キーを含むいくつかの操作キーのキー操作信号、及び前記メニュー選択ボタン１４ａ〜１４ｄのボタン操作信号を前記ＣＰＵ２６へ送出する。
【００３１】
前記ＣＰＵ２６はさらに、前記システムバスＢＳを介して前記人感センサ１６、音処理部３０、無線ＬＡＮインタフェース（Ｉ／Ｆ）３１と接続される。
【００３２】
前記音処理部３０は、ＰＣＭ音源等の音源回路を備え、投影動作時に前記コンテンツメモリ２０から読み出されるコンテンツデータ中の音声データをアナログ化し、前記スピーカ１３を駆動して放音させ、あるいは必要によりビープ音等を発生させる。
【００３３】
前記無線ＬＡＮインタフェース３１は、無線ＬＡＮアンテナ３２を介して図示しない最寄りの無線ＬＡＮルータと接続し、データの送受を行なうもので、必要により前記コンテンツメモリ２０に記憶すべきコンテンツデータ等を取得する。
【００３４】
このように構成されたサイネージ装置１０は、前記ＣＰＵ２６が前記動作プログラムに記述された命令に従い前記電子回路の各部の動作を制御し、ソフトウエアとハードウエアとが協働して動作することにより、以下の動作説明で述べる情報出力機能を実現する。
【００３５】
次に、前記構成のサイネージ装置１０の動作について説明する。
【００３６】
なお以下に示す動作は、前記サイネージ装置１０のオペレータの操作に対し、前記ＣＰＵ２６が前記プログラムメモリ２８に記憶されている動作プログラムや定形データ等を読出し、前記メインメモリ２７上に展開記憶させた上で実行するものである。
【００３７】
前記プログラムメモリ２８に記憶されている動作プログラム等は、本サイネージ装置１０の工場出荷当時に当該プログラムメモリ２８に記憶されていたものに限らず、適時オペレータの操作により前記無線ＬＡＮインタフェース３１を介して外部からバージョンアップ等のデータをインストールしたもの等も含むものとする。
【００３８】
また、前記コンテンツメモリ２０に記憶されている複数種類の動画コンテンツとして、本実施形態では、商品説明への導入に先立ち自国語（ここでは日本語）及び外国語（ここでは英語／中国語／タイ語）の閲覧者を引き付けるために再生される呼掛け動画コンテンツと、外国語の閲覧者に対して基本的な商品説明を簡単な日本語とその訳語である各国語で行う英語／中国語／タイ語の各基本説明動画コンテンツと、自国語（日本語）の閲覧者に対して詳細な商品説明を日本語だけで行なう詳細説明動画コンテンツが用意される。
【００３９】
また、説明を容易にするために、前記コンテンツメモリ２０に記憶されている各動画コンテンツのデータは、モーションＪＰＥＧのファイルデータのように、時間的に連続した複数の独立した静止画コンテンツから構成されるものとする。
【００４０】
図３は、前記サイネージ装置１０で実行される動画コンテンツの再生に係る動作を示すフローチャートである。
【００４１】
図４は、前記サイネージ装置１０の動画コンテンツの再生動作に従った広告画像Ａｇと広告音声Ａｓの出力状態（その１）を示す図である。
【００４２】
図５は、前記サイネージ装置１０の動画コンテンツの再生動作に従った広告画像Ａｇと広告音声Ａｓの出力状態（その２）を示す図である。
【００４３】
図６は、前記サイネージ装置１０の動画コンテンツの再生動作に従った広告画像Ａｇと広告音声Ａｓの出力状態（その３）を示す図である。
【００４４】
前記人感センサ１６により装置本体から所定の範囲内に人物が接近したことが検出されると、前記ＣＰＵ２６により、前記コンテンツメモリ２０に記憶されている前記日本語と複数の外国語（英語／中国語／タイ語）による呼掛け動画コンテンツが選択され（ステップＳ１）、前記メインメモリ２７に読み込まれる（ステップＳ２）。
【００４５】
すると、前記呼掛け動画コンテンツを構成する先頭の静止画像から順次再生が開始され（ステップＳ３）、図４（Ａ）〜図５（Ａ）に示すように、その呼掛け広告画像Ａｇがスクリーンパネル１２に投影されて表示され、また、当該呼掛け広告画像Ａｇに応じた呼掛け広告音声Ａｓがスピーカ１３から出力される（ステップＳ４）。
【００４６】
前記呼掛け動画コンテンツは、日本語の呼掛け広告音声Ａｓによる呼掛け「こんにちは。」「わたしは、はなこです。」「わたしがあなたをたすけます。」「げんごボタンをおしてください。」を行なうのに伴い、当該各呼掛けに対応する日本語ｊｐとその発音記号ｐｒ、同各呼掛けの訳語である英語ｅｎ、中国語ｃｈ、タイ語ｔｈのテキストを含む呼掛け広告画像Ａｇが投影されて表示される。
【００４７】
このため、前記呼掛け動画コンテンツの再生によって、前記英語ｅｎ、中国語ｃｈ、タイ語ｔｈを母国語とする人物に対し、簡単な日本語ｊｐとその発音記号ｐｒと訳語ｅｎ，ｃｈ，ｔｈによる呼掛けを行なうことができ、日本語への興味を持たせて閲覧者を引き付けることができる。
【００４８】
そして、前記呼掛け動画コンテンツの再生に伴いスクリーンパネル１２に投影されて表示される呼掛け広告画像Ａｇの広告選択メニュー１５ａ〜１５ｄは、例えば閲覧者が母国語を選択するための言語メニュー１５ａ（中国語），１５ｂ（英語），１５ｃ（タイ語），１５ｄ（日本語）として表示される。
【００４９】
この後、前記図４（Ａ）〜図５（Ａ）で示したように、前記呼掛け動画コンテンツの再生処理が繰り返し実行されている状態で（ステップＳ４，Ｓ５（Ｎｏ），Ｓ６（Ｎｏ）→Ｓ４）、図５（Ａ）に示すように、例えば中国語を母国語とする閲覧者により前記言語メニュー１５ａ（中国語）に対応したメニュー選択ボタン１４ａが操作されると（ステップＳ６（Ｙｅｓ））、当該操作されたメニュー選択ボタン１４ａが自国語（日本語）に対応したボタン１４ｄであるか外国語（中国語／英語／タイ語）の何れかに対応したボタン１４ａ／１４ｂ／１４ｃであるかが判断される（ステップＳ７）。
【００５０】
ここで、外国語（中国語）に対応したボタン１４ａが操作されたと判断されると（ステップＳ７（外国語））、前記コンテンツメモリ２０から、当該外国語（中国語）の閲覧者に対して基本的な商品説明を簡単な日本語ｊｐとその発音記号ｐｒと訳語ｃｈで行う中国語の基本説明動画コンテンツが選択され（ステップＳ８）、前記メインメモリ２７に読み込まれる（ステップＳ２）。
【００５１】
すると、前記中国語の基本説明動画コンテンツを構成する先頭の静止画像から順次再生が開始され（ステップＳ３）、図５（Ｂ）に示すように、その中国語対応広告画像Ａｇ（ｃｈ）がスクリーンパネル１２に投影されて表示され、また、当該中国語対応広告画像Ａｇ（ｃｈ）に応じた中国語対応広告音声Ａｓ（ｃｈ）がスピーカ１３から出力される（ステップＳ４）。
【００５２】
前記中国語の基本説明動画コンテンツは、簡単な商品説明として日本語と中国語の広告音声Ａｓ（ｃｈ）「おすすめのカメラです。」「（中国語）自撮りが簡単にできる最新のカメラの機能を説明します。」を出力するのに伴い、当該中国語対応広告音声Ａｓに対応する日本語ｊｐとその発音記号ｐｒ、中国語ｃｈのテキストを含む中国語対応広告画像Ａｇ（ｃｈ）が投影されて表示される。
【００５３】
なお、図示はしないが、前記中国語の基本説明動画コンテンツとしては、これ以後も簡単な日本語を加えつつ、中国語による商品説明の広告画像Ａｇ（ｃｈ）と広告音声Ａｓ（ｃｈ）とを組み合わせた内容に編集してもよいし、これ以後は中国語のみによる商品説明の広告画像Ａｇ（ｃｈ）と広告音声Ａｓ（ｃｈ）とを組み合わせた内容に編集してもよい。
【００５４】
前記実施形態の動作説明では、前記広告選択メニュー１５ａ〜１５ｄのうち外国語の言語メニュー１５ａ（中国語）を選択した場合について説明したが、それ以外の外国語の言語メニュー１５ｂ（英語），１５ｃ（タイ語）を選択した場合でも、前記同様に簡単な日本語を加えてなる各国言語に対応した英語の基本説明動画コンテンツやタイ語の基本説明動画コンテンツが選択されて再生される。
【００５５】
このため、前記呼掛け動画コンテンツの再生に続いて、閲覧者の母国語に応じた基本説明動画コンテンツを選択的に再生させることにより、日本語への興味を持たせて閲覧者を引き付けつつ、当該閲覧者に対し本来伝えたい情報である商品説明を適切に提供できるようになる。
【００５６】
一方、前記図４（Ａ）〜図５（Ａ）で示したように、前記呼掛け動画コンテンツの再生処理が繰り返し実行されている状態、あるいは、図６（Ａ）に示すように、前記外国語（ここでは中国語）の基本説明動画コンテンツの再生処理が実行されている状態（ステップＳ４，Ｓ５（Ｎｏ），Ｓ６（Ｎｏ）→Ｓ４）で、例えば日本語を母国語とする閲覧者により前記言語メニュー１５ｄ（日本語）に対応したメニュー選択ボタン１４ｄが操作されると（ステップＳ６（Ｙｅｓ））、自国語（日本語）に対応したボタン１４ｄが操作されたと判断される（ステップＳ７（自国語））。
【００５７】
そして、前記コンテンツメモリ２０から、当該自国語（日本語）の閲覧者に対して詳細な商品説明を日本語ｊｐだけで行なう詳細説明動画コンテンツが選択され（ステップＳ９）、前記メインメモリ２７に読み込まれる（ステップＳ２）。
【００５８】
すると、前記日本語の詳細説明動画コンテンツを構成する先頭の静止画像から順次再生が開始され（ステップＳ３）、図６（Ｂ）に示すように、その日本語詳細広告画像Ａｇ（ｊｐ）がスクリーンパネル１２に投影されて表示され、また、当該日本語詳細広告画像Ａｇ（ｊｐ）に応じた日本語詳細広告音声Ａｓ（ｊｐ）がスピーカ１３から出力される（ステップＳ４）。
【００５９】
前記日本語の詳細説明動画コンテンツは、日本語詳細広告画像Ａｇ（ｊｐ）の初期画面として、全て日本語ｊｐで、例えば商品機能の一覧「・ラクラク自分撮り」「・キレイにこだわる」「・オートトランスファー」を表示させると共に、広告選択メニュー１５ａ〜１５ｄとして、当該商品機能の一覧から何れかの機能を選択するための機能メニュー１５ａ（自分撮り），１５ｂ（キレイ），１５ｃ（オート），１５ｄ（戻る：呼掛け動画コンテンツに戻る）を表示させ、また、日本語詳細広告音声Ａｓ（ｊｐ）として「詳しい説明は下のボタンを押してね。」を出力させる。
【００６０】
そして、前記日本語の詳細説明動画コンテンツは、前記機能メニュー１５ａ（自分撮り），１５ｂ（キレイ），１５ｃ（オート）の何れかを選択することで、図６（Ｃ）に示すように、当該選択された機能（ここでは自分撮り）の詳細説明を全て日本語ｊｐで行う日本語詳細広告画像Ａｇ（ｊｐ）と日本語詳細広告音声Ａｓ（ｊｐ）に遷移する。
【００６１】
なお、前記広告選択メニュー１５ａ〜１５ｄを選択するためのメニュー選択ボタン１４ａ〜１４ｄのボタン操作の受け付けは、前記各動画コンテンツの再生途中の何れのタイミングでも可能である。
【００６２】
このように、例えば日本人が閲覧者である場合には、前記呼掛け動画コンテンツの再生途中や前記外国語対応のための基本説明動画コンテンツの再生途中に、言語メニュー１５ｄ（日本語）を選択して自国語（日本語）の詳細説明動画コンテンツを選択的に再生させることにより、直ちに当該日本人の閲覧者が知りたい情報である詳しい商品説明も提供できるようになる。
【００６３】
なお、前記サイネージ装置１０は、ＤＬＰ（Ｄｉｇｉｔａｌ  Ｌｉｇｈｔ  Ｐｒｏｃｅｓｓｉｎｇ）（登録商標）方式のリアプロジェクタによるサイネージ装置に適用した場合について説明したが、本発明はプロジェクタ方式や投影方向等を限定するものではなく、例えば光像を形成するための表示素子としてカラー液晶パネルを用いるもの、スクリーンの前面側から投射するものなどにも適用可能である。
【００６４】
したがって、前記構成のサイネージ装置１０によれば、先ず、自国語（日本語）の呼掛けを含む広告音声Ａｓと、当該呼掛けに対応する日本語ｊｐとその発音記号ｐｒ、同呼掛けの訳語である各外国語（ｅｎ／ｃｈ／ｔｈ）のテキストを含む呼掛け広告画像Ａｇとを編集した呼掛け動画コンテンツを再生する。そして、前記広告画像Ａｇに含めて再生された言語メニュー１５ａ（中国語）〜１５ｄ（日本語）のうち、外国語（中国語／英語／タイ語）が選択された場合は、簡単な商品説明として難易度の低い日本語と当該選択された外国語の広告音声Ａｓ（ｅｎ／ｃｈ／ｔｈ）と共に、同広告音声Ａｓ（ｅｎ／ｃｈ／ｔｈ）に対応する日本語ｊｐとその発音記号ｐｒ、前記選択された外国語のテキストを含む広告画像Ａｇ（ｅｎ／ｃｈ／ｔｈ）を編集した基本説明動画コンテンツを再生する。また、前記言語メニュー（中国語）〜１５ｄ（日本語）のうち、日本語が選択された場合は、当該選択された日本語の閲覧者に対して詳細な商品説明を外国人としては難易度の高い日本語だけで行なう詳細説明動画コンテンツを再生する。
【００６５】
これにより、前記外国語（英語ｅｎ／中国語ｃｈ／タイ語ｔｈ）を母国語とする人物に対しては、前記呼掛け動画コンテンツの再生によって、日本語学習への興味を持たせて閲覧者として引き付けた後、前記各外国語に対応する基本説明動画コンテンツの再生によって、同閲覧者に対し、日本語学習への興味を持たせつつ本来伝えたい情報である商品説明を行なうことができる。
【００６６】
しかも、日本語が理解できる閲覧者に対しては、前記詳細説明動画コンテンツの再生により、当該閲覧者が知りたい情報である詳しい商品説明を行なうことができる。
【００６７】
よって、外国の閲覧者を、自国言語への興味を持たせて引き付け、同閲覧者に対し商品説明等の情報を伝えることが可能になる。
【００６８】
なお、前記実施形態において記載したサイネージ装置１０による各処理の手法、すなわち、図３のフローチャートに示す動画コンテンツの再生に係る動作制御処理等の各手法は、何れもコンピュータに実行させることができるプログラムとして、メモリカード（ＲＯＭカード、ＲＡＭカード等）、磁気ディスク（フロッピ（登録商標）ディスク、ハードディスク等）、光ディスク（ＣＤ−ＲＯＭ、ＤＶＤ等）、半導体メモリ等の外部記録装置の媒体に格納して配布することができる。そして、表示装置（１１，１２）や音声出力装置（１３）を備えた電子機器のコンピュータ（ＣＰＵ）は、この外部記憶装置の媒体に記憶されたプログラムを記憶装置に読み込み、この読み込んだプログラムによって動作が制御されることにより、前記実施形態において説明した語学学習の要素を含む情報出力機能を実現し、前述した各手法による同様の処理を実行することができる。
【００６９】
また、前記各手法を実現するためのプログラムのデータは、プログラムコードの形態として通信ネットワーク上を伝送させることができ、この通信ネットワークに接続されたコンピュータ装置（プログラムサーバ）から前記プログラムのデータを表示装置（１１，１２）や音声出力装置（１３）を備えた電子機器に取り込んで記憶装置に記憶させ、前述した語学学習の要素を含む情報出力機能を実現することもできる。
【００７０】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【００７１】
以下に、本願出願の当初の特許請求の範囲に記載された発明を付記する。
【００７２】
［１］
ユーザの使用言語を判断する言語判断手段と、
前記言語判断手段により判断されたユーザの使用言語に応じて、言語の難易度が異なる情報を決定し出力する情報出力手段と、
を備えたことを特徴とする情報出力装置。
【００７３】
［２］
前記情報出力手段は、前記言語判断手段により判断されたユーザの使用言語が自国語であるか外国語であるかに応じて、言語の難易度が異なる自国語を含む情報を選択的に出力する、
ことを特徴とする請求項１に記載の情報出力装置。
を備えたことを特徴とする情報出力装置。
【００７４】
［３］
前記情報出力手段は、
自国語により構成された自国語情報と、当該自国語情報を構成する自国語の難易度よりも低い難易度の自国語とその訳語である外国語とにより構成された外国語対応情報とを、前記言語判断手段により判断されたユーザの使用言語に応じて選択的に取得する情報取得手段を有し、
前記情報取得手段により取得された自国語情報または外国語対応情報を出力する、
ことを特徴とする［１］または［２］に記載の情報出力装置。
【００７５】
［４］
自国語と当該自国語の訳語である複数の外国語とを対応付けた呼掛け情報を出力する呼掛け情報出力手段を備え、
前記言語判断手段は、前記呼掛け情報出力手段により呼掛け情報の出力が開始された後に、ユーザの使用言語を判断する、
ことを特徴とする［１］ないし［３］の何れかに記載の情報出力装置。
【００７６】
［５］
前記情報出力手段は、自国語と外国語を音声として出力する音声出力手段と、画像として出力する画像出力手段とを有する、
ことを特徴とする［１］ないし［４］の何れかに記載の情報出力装置。
【００７７】
［６］
前記情報取得手段は、自国語により構成された自国語情報と、当該自国語情報を構成する自国語の難易度よりも低い難易度の自国語とその訳語である外国語とにより構成された外国語対応情報とを記憶している情報記憶手段を有し、当該情報記憶手段に記憶されている自国語情報と外国語対応情報とを、前記言語判断手段により判断されたユーザの使用言語に応じて選択的に読み出して取得する、
ことを特徴とする［３］に記載の情報出力装置。
【００７８】
［７］
前記呼掛け情報出力手段は、自国語と当該自国語の訳語である複数の外国語とを対応付けた呼掛け情報を記憶している呼掛け情報記憶手段を有し、当該呼掛け情報記憶手段に記憶されている呼掛け情報を読み出して出力する、
ことを特徴とする［４］に記載の情報出力装置。
【００７９】
［８］
ユーザの使用言語を判断し、
前記判断されたユーザの使用言語が自国語であるか外国語であるかに応じて、言語の難易度が異なる自国語を含む情報を選択的に出力する、
ことを特徴とする情報出力方法。
【００８０】
［９］
コンピュータを、
ユーザの使用言語を判断する言語判断手段と、
前記言語判断手段により判断されたユーザの使用言語が自国語であるか外国語であるかに応じて、言語の難易度が異なる自国語を含む情報を選択的に出力する情報出力手段、
として機能させるためのコンピュータ読み込み可能なプログラム。
【符号の説明】
【００８１】
１０  …サイネージ装置（情報出力装置）
１１  …投影部
１２  …スクリーンパネル
１３  …スピーカ
１４ａ〜１４ｄ…メニュー選択ボタン
１５ａ〜１５ｄ…広告選択メニュー
１６  …人感センサ
２０  …コンテンツメモリ
２１  …投影画像駆動部
２２  …マイクロミラー素子
２３  …光源部
２６  …ＣＰＵ
２８  …プログラムメモリ
３０  …音処理部
３１  …無線ＬＡＮインタフェース
Ａｇ  …広告画像
Ａｓ  …広告音声
ｊｐ  …日本語
ｐｒ  …発音記号
ｅｎ  …英語
ｃｈ  …中国語
ｔｈ  …タイ語
【図１】
2017054327.tif 000003
【図２】
2017054327.tif 000004
【図３】
2017054327.tif 000005
【図４】
2017054327.tif 000006
【図５】
2017054327.tif 000007
【図６】
2017054327.tif 000008